(57)【要約】【課題】ホテルや病院、その他見学施設等においては、靴を脱いでスリッパを履いて行動することが行われている。このようなスリッパを衛生的にするため、旅館やホテルの中には、使用済のスリッパを１つ１つ消毒したり、除菌スプレーを噴霧したりするところもある。しかし、これは手間であるばかりか、次に使用する人間にはその処理がなされているか否かがわからないため、不安は解消されていない。そこで、使用者が安心してスリッパを使用できるようにするスリッパ用インソールを提供する。【解決手段】スリッパに挿入して使用する使い捨てインソールであって、底部とカバー部が一体として１枚のシートで構成されており、材質は紙又は不織布であって殺菌処理されたものである。【選択図】  図１
2010075262.tif 000002
【特許請求の範囲】
【請求項１】
スリッパに挿入して使用する使い捨てインソールであって、底部とカバー部が一体として１枚のシートで構成されており、材質は紙又は不織布であって殺菌処理されたものであることを特徴とするインソール。
【請求項２】
本体は左右用１足のスリッパ用が１枚で構成されているものである請求項１記載のインソール。
【発明の詳細な説明】
【技術分野】
【０００１】
本発明は、スリッパに挿入して使用する使い捨てインソールに関するものである。
【背景技術】
【０００２】
ホテルや病院、その他見学施設等においては、靴を脱いでスリッパを履いて行動することが行われている。このような場合、そのスリッパは、前に誰が履いたかまったくわからず、衛生的であるか否かもわからないまま履いていた。
【０００３】
よって、人によっては非常に不快な感じをいだきつつ使用していたり、自らがティッシュ等で拭いて使用したりしていた。
【０００４】
このようなことを軽減するため、旅館やホテルの中には、使用済のスリッパを１つ１つ消毒したり、除菌スプレーを噴霧したりするところもある。しかし、これは手間であるばかりか、次に使用する人間にはその処理がなされているか否かがわからないため、不安は解消されていない。
【発明の開示】
【発明が解決しようとする課題】
【０００５】
そこで、使用者が安心してスリッパを使用できるようにするスリッパ用インソールを提供する。
【課題を解決するための手段】
【０００６】
このような現状に鑑み、本発明者は鋭意研究の結果本発明インソールを完成したものであり、その特徴とするところは、スリッパに挿入して使用する使い捨てインソールであって、底部とカバー部が一体として１枚のシートで構成されており、材質は紙又は不織布であって殺菌処理されたものである点にある。
【０００７】
インソールとは、中敷きであるが、ここではスリッパに入れて使用するものであればよく、従来のインソールという概念に限定されるものではない。
【０００８】
本発明インソールの材質は、紙又は不織布である。これは価格の問題が大きい。これらが安価であり、薬剤等の含浸も容易である。更に、それ自身吸湿性を有するため、履いた人の汗等も吸着する。
【０００９】
この紙等は、殺菌処理されたものである。殺菌処理する時期はいつでもよく、裁断した後でも、材料のときに殺菌してもよい。殺菌処理の方法は自由であり、薬剤を使用する方法や加熱殺菌する方法その他どのようなものでもよい。
【００１０】
更に、殺菌処理するだけでなく、殺菌剤や消毒剤、その他の薬剤を含浸させておいてもよい。本発明では、このインソールは挿入したまま使用するものであるため、薬剤はなくてもスリッパに直接触れないという効果はあるため、薬剤はなくてもよい。
【００１１】
本発明インソールは、底部とカバー部からなる。底部とは、足の裏が乗る部分であり、カバー部とは足の甲の上に位置する部分である。底部とカバー部は折り返して使用する。その折り返し部には、ミシン目や折れ線を入れてもよい。
【００１２】
また、カバー部は、幅を広げて足の甲に乗るだけでなく、甲を包むようにすれば、その部分がスリッパの内部で側面に沿い、支えのような形になり、カバー部が落下して底部に重なることがない。よって、一度脱いで次にスリッパを履くとき、すぐに履くことができる。
【００１３】
更に、カバー部の幅を広げず、カバー部の先端部分に引っ掛け部を設けてもよい。この引っ掛け部は、インソールをスリッパに入れたときスリッパの甲を覆う部分から突出させて折り返して使用するものである。このようにすれば、前記幅広部を設けたと同様にカバー部が落下して底部に重なることがない。
【００１４】
本発明インソールは、１枚のシートから構成されている。これは製造の容易性からである。１枚のシートであり平面状でできるため、打ち抜くだけで製造でき、非常に安価にできる。
【００１５】
更に、このインソールがスリッパの材質によっては滑り、スリッパを脱ぐときにインソールも一緒に出てしまう場合がある。このようなことを防止するため、インソールの底部の裏側に粘着剤（接着剤でもよい）を固着しておいてもよい。勿論、底部だけでなく他の部分にも粘着剤を固着しておいてもよい。そして、粘着剤には剥離シートでカバーして、使用時に剥離するようにしてもよい。この粘着剤は、粘着力の非常に弱いものでよく、インソールを外すときにスリッパに残らないようにする。
【００１６】
更に、スリッパの装着した場合、初めて使用するものであることを明確にするため、左右を１シートで製造しておき、そのまま１足揃えたスリッパに挿入しておくことも好適である。
そして、使用する場合は、当然左右切断して使用するのである。その切断部分にはミシン目を入れておくことが便利である。
【発明の効果】
【００１７】
本発明には、以下のような効果がある。
（１）  旅館や見学施設等において、そこのスリッパを履くときに、本発明インソールを入れると、直接スリッパに触れないため衛生的である。
（２）  抗菌剤や殺菌剤を含浸したものでは、より積極的に殺菌するため、単に触れないだけでなくより安心である。
（３）  旅館の大浴場等で足を綺麗に洗って出てきたときに、スリッパが多数あり、他人のものを履いて行かなければならない場合にも、本発明インソールがそこにあれば、どのスリッパでもそれを入れて履けば安心である。
（４）  本発明の左右１体型の例では、それを切断するまでは使用していないことが明らかであるため、インソールが予めスリッパに挿入されていても安心である。
【発明を実施するための最良の形態】
【００１８】
以下実施例に従って本発明をより詳細に説明する。
【実施例】
【００１９】
図１は、本発明インソール１をスリッパ２に入れた１例を示す斜視図である。インソール１の底部３がスリッパの底の部分を覆い、インソール１のカバー部４が、スリッパの覆い部５の内側に沿って足の甲の上に位置するようになっている。図２は、図１の縦断面図である。インソールのカバー部４が、スリッパの覆い部５の内側に沿っていることが分かる。
【００２０】
図３は、図１の例のインソールの展開図である。この図から分かるようにカバー部４の幅が底部３より広くなっている。この広い部分がスリッパの覆い部５の側面部に沿って、カバー部が立体的に起立した状態に保持されるのである。実際にこのようにすれば、一度スリッパを脱ぎ、次に履くときに非常に簡単である。
【００２１】
図４は、図３と同様の図であるが、この例ではカバー部は幅広に構成されていないが、カバー部の先端に引っ掛け部６を設けた例である。この例では、引っ掛け部６は、ミシン目を入れて折り返しやすくしている。
【００２２】
図５は、図４の例を左右１足分を１枚のシートで構成したものである。この例では、このまま揃えたスリッパに挿入しておけば、使用されていないことが明らかである。
左右の切断部分はミシン目が入って切断容易になっている。
【図面の簡単な説明】
【００２３】
【図１】本発明インソール１をスリッパ２に入れた１例を示す斜視図である。
【図２】図１の縦断面図である。
【図３】図１の例のインソールの展開図である。
【図４】インソールの他の例の展開図である。
【図５】図４の例を左右１足分を１枚のシートで構成した例の展開図である。
【符号の説明】
【００２４】
１  インソール
２  スリッパ
３  底部
４  カバー部
５  覆い部
６  引っ掛け部
【図１】
2010075262.tif 000003
【図２】
2010075262.tif 000004
【図３】
2010075262.tif 000005
【図４】
2010075262.tif 000006
【図５】
2010075262.tif 000007